(57)【特許請求の範囲】
【請求項１】
半導体素子（１）と、一面に前記半導体素子（１）が電気的に接続され、他面が放熱面（５１）となっているヒートシンク（５）とを備え、前記放熱面（５１）に冷却部材（１２）を設けてなる半導体装置の実装構造において、
前記放熱面（５１）と前記冷却部材（１２）とは、熱伝導性を有する絶縁基板（２１）を挟んで積層されており、
前記放熱面（５１）と前記絶縁基板（２１）との間、および前記絶縁基板（２１）と前記冷却部材（１２）との間に、熱的な接触を確保するための放熱材（３１、３２）が介在するように、前記絶縁基板（２１）の両面に電気伝導性の材質である放熱材（３１、３２）が配設されており、
前記放熱材（３１、３２）の各々は、前記絶縁基板（２１）の外周縁部までは配置されておらず、前記絶縁基板（２１）よりも一回り内側に配置されていることを特徴とする半導体装置の実装構造。
【請求項２】
半導体素子（１）と、一面に前記半導体素子（１）が電気的に接続され、他面が放熱面（５１）となっているヒートシンク（５）とを備え、前記放熱面（５１）に冷却部材（１２）を設けてなる半導体装置の実装方法において、
熱伝導性を有する絶縁基板（２１）の両面に電気伝導性の材質である放熱材（３１、３２）を配設し、
前記放熱面（５１）と前記冷却部材（１２）とが前記放熱材（３１、３２）に接触するように、前記放熱面（５１）と前記冷却部材（１２）とにより前記絶縁基板（２１）を挟み付ける半導体装置の実装方法であり、
前記放熱材（３１、３２）の各々を、前記絶縁基板（２１）の外周縁部までは配置せずに、前記絶縁基板（２１）よりも一回り内側に配置することを特徴とする半導体装置の実装方法。
【請求項３】
前記放熱材（３１）として、熱伝導性フィラー充填シリコン系のゲルを用い、
前記絶縁基板（２１）の両面に前記ゲルを塗布して硬化した後、前記放熱面（５１）と前記冷却部材（１２）とにより前記絶縁基板（２１）を挟み付けることを特徴とする請求項２に記載の半導体装置の実装方法。
【請求項４】
半導体素子（１）と、一面に前記半導体素子（１）が電気的に接続され、他面が放熱面（５１）となっているヒートシンク（５）とを備え、前記放熱面（５１）に冷却部材（１２）を設けてなる半導体装置の実装方法において、
熱伝導性を有する絶縁基板（２１）の両面に放熱シート（３２）を配設し、
前記放熱面（５１）と前記冷却部材（１２）とが前記放熱シート（３２）に接触するように、前記放熱面（５１）と前記冷却部材（１２）とにより前記絶縁基板（２１）を挟み付ける半導体装置の実装方法であり、
前記放熱シート（３２）の一面および前記絶縁基板（２１）の両面に表面処理を施した後、
前記放熱シート（３２）および前記絶縁基板（２１）における前記表面処理を施した面を、熱伝導性接合部材を介して接合することにより、前記絶縁基板（２１）の両面に前記放熱シート（３２）を配設することを特徴とする半導体装置の実装方法。
【請求項５】
半導体素子（１）と、一面に前記半導体素子（１）が電気的に接続され、他面が放熱面（５１）となっているヒートシンク（５）とを備え、前記放熱面（５１）に冷却部材（１２）を設けてなる半導体装置の実装方法において、
熱伝導性を有する絶縁基板（２１）の両面に放熱シート（３２）を配設し、
前記放熱面（５１）と前記冷却部材（１２）とが前記放熱シート（３２）に接触するように、前記放熱面（５１）と前記冷却部材（１２）とにより前記絶縁基板（２１）を挟み付ける半導体装置の実装方法であり、
前記絶縁基板（２１）として、前記絶縁基板（２１）の両面の端部に、前記放熱シート（３２）を固定するための絶縁物からなる固定部（２２）を設けたものを用いることを特徴とする半導体装置の実装方法。
【発明の詳細な説明】
【０００１】
【発明の属する技術分野】
本発明は、半導体装置の放熱特性を向上させるための実装構造およびその方法に関し、特に、パワー用半導体素子を内蔵した半導体装置に用いて好適な実装構造およびその方法に関する。
【０００２】
【従来の技術】
パワー用素子を用いた半導体装置は、パワー用素子の発熱により熱破壊等の不具合が生じる。このため、発生した熱を放熱する特性を向上させるため、一般に、半導体装置と、放熱を促すために半導体装置と接触させる冷却部材との間に高熱伝導放熱部材（以下、単に放熱材とする）を挟んでいる。
【０００３】
図５は、従来の半導体装置の実装構造の一例を示す概略断面図である。図５に示すように、半導体素子１の一面１ａ側に形成されたパッド（図示せず）とリードフレーム２とが、ワイヤボンドにより形成されたワイヤ３により接続されている。
【０００４】
また、半導体素子１の他面１ｂ側は接合部材４を介してヒートシンク５の一面に接合されている。また、ヒートシンク５にはその端部において外部と電気的に接続するための電極部５ａが形成されており、このヒートシンク５は電極としての働きも兼ねている。
【０００５】
また、これらの各部材が樹脂封止され、リードフレーム２とヒートシンク５の電極部５ａのみが樹脂６から外部に出た状態でフルモールドされた半導体装置（以下、フルモールド型半導体装置という）１０となっている。そして、この半導体装置１０におけるヒートシンク５が配置されている側の面に対して、放熱シートや熱伝導率の高いグリス等の放熱材１１を介して冷却部材１２が接合されている。
【０００６】
一方、図６に、従来の半導体装置の実装構造の他の例を概略断面図にて示す。図６における半導体装置は、図５における半導体装置と比較して、ヒートシンク５の他面が樹脂６から露出して放熱面５１を形成している点が異なる。以下、この放熱面５１を有する半導体装置１０を、放熱面形成型半導体装置という。その他の構成は、図５における半導体装置と同様であるため、同一符号を付して説明を省略する。
【０００７】
そして、冷却部材１２との接合方法に関しては、図６に示す半導体装置１０のヒートシンク５も電極を兼ねているため、半導体装置１０と冷却部材１２との絶縁を確保する必要がある。そこで、高熱伝導絶縁基板等の絶縁性の放熱材１３を介して、上記放熱面５１が冷却部材１２と接合されている。
【０００８】
【発明が解決しようとする課題】
しかしながら、上記フルモールド型半導体装置では、ヒートシンク５と放熱材１１との間にモールド樹脂６が介在しており、この樹脂は熱伝導率が低いために、特に大電流が流れるパワー素子を用いた場合は十分な放熱性が得られない。
【０００９】
また、放熱面形成型半導体装置では、ヒートシンク５と放熱材１３との間にモールド樹脂はないが、高熱伝導絶縁基板１３とヒートシンク５、および冷却部材１２とは接合性が悪いため、接触熱抵抗が大きくなり放熱性が悪い。
【００１０】
本発明は上記問題点に鑑み、放熱性を良好に確保できる半導体装置の実装構造およびその方法を提供することを他の目的とする。
【００１１】
【課題を解決するための手段】
上記目的を達成するため、請求項１に記載の発明では、放熱面形成型半導体装置の実装構造において、放熱面（５１）と冷却部材（１２）とを熱伝導性を有する絶縁基板（２１）を挟んで積層し、放熱面（５１）と絶縁基板（２１）との間、および絶縁基板（２１）と冷却部材（１２）との間に、熱的な接触を確保するための放熱材（３１、３２）が介在するように、絶縁基板（２１）の両面に電気伝導性の材質である放熱材（３１、３２）が配設されており、放熱材（３１、３２）の各々は、絶縁基板（２１）の外周縁部までは配置されておらず、絶縁基板（２１）よりも一回り内側に配置されていることを特徴としている。
【００１２】
本発明では、絶縁基板（２１）により放熱面（５１）と冷却部材（１２）とを電気的に絶縁することができる。また、放熱面（５１）および冷却部材（１２）と放熱材（３１、３２）とが良好に接続するため、これらの部材（１２、３１、３２、５１）の界面における接触熱抵抗を低減することができる。従って、放熱性を良好に確保できる半導体装置の実装構造を提供することができる。また、電気伝導性の材質である放熱材（３１、３２）の各々が、絶縁基板（２１）の外周縁部までは配置されておらず、絶縁基板（２１）よりも一回り内側に配置されているので、絶縁基板（２１）の両面に配置される各々の放熱材（３１、３２）間の絶縁距離を確保して、放電等により絶縁が破壊されるのを防ぐことができる。
【００１３】
また、請求項２に記載の発明では、放熱面形成型半導体装置の実装方法において、熱伝導性を有する絶縁基板（２１）の両面に電気伝導性の材質である放熱材（３１、３２）を配設し、放熱面（５１）と冷却部材（１２）とが放熱材（３１、３２）に接触するように、放熱面（５１）と冷却部材（１２）とにより絶縁基板（２１）を挟み付ける実装方法であり、放熱材（３１、３２）の各々を、絶縁基板（２１）の外周縁部までは配置せずに、絶縁基板（２１）よりも一回り内側に配置することを特徴としている。これにより、請求項１の実装構造を適切に実現し得る実装方法を提供することができる。
【００１４】
また、請求項３に記載の発明では、請求項２の発明において、放熱材（３１）として熱伝導性フィラー充填シリコン系のゲルを用い、絶縁基板（２１）の両面にこのシリコン系のゲルを塗布して硬化した後、放熱面（５１）と冷却部材（１２）とにより絶縁基板（２１）を挟み付けることを特徴としている。
【００１５】
本発明では、半導体装置を冷却部材（１２）に組み付ける際に、絶縁基板（２１）と放熱材（３１）とが予め一体となったものを介在させるだけで、放熱材（３１）により放熱面（５１）および冷却部材（１２）と絶縁基板（２１）との接触熱抵抗を低減でき、絶縁基板（２１）により放熱面（５１）と冷却部材（１２）との絶縁を確保することができる。従って、放熱性が良好に確保できるように半導体装置を容易に組み付けることができる半導体装置の実装方法を提供することができる。
【００１６】
また、請求項４に記載の発明では、放熱面形成型半導体装置の実装方法において、熱伝導性を有する絶縁基板（２１）の両面に放熱シート（３２）を配設し、放熱面（５１）と冷却部材（１２）とが放熱シート（３２）に接触するように、放熱面（５１）と冷却部材（１２）とにより絶縁基板（２１）を挟み付ける実装方法であり、放熱シート（３２）の一面および絶縁基板（２１）の両面に表面処理を施した後、放熱シート（３２）および絶縁基板（２１）における表面処理を施した面を、熱伝導性接合部材を介して接合することにより、絶縁基板（２１）の両面に放熱シート（３２）を配設することを特徴としている。このようにすれば、絶縁基板（２１）を放熱面（５１）と冷却部材（１２）とで挟み付ける際に、絶縁基板（２１）と放熱シート（３２）とがずれることを防止することができる。
【００１７】
また、絶縁基板（２１）と放熱材（３２）とを予め一体としているため、請求項３に記載の発明と同様の効果を発揮することができる。
【００１８】
また、請求項５に記載の発明では、放熱面形成型半導体装置の実装方法において、熱伝導性を有する絶縁基板（２１）の両面に放熱シート（３２）を配設し、放熱面（５１）と冷却部材（１２）とが放熱シート（３２）に接触するように、放熱面（５１）と冷却部材（１２）とにより絶縁基板（２１）を挟み付ける実装方法であり、絶縁基板（２１）として、絶縁基板（２１）の両面の端部に、放熱シート（３２）を固定するための絶縁物からなる固定部（２２）を設けたものを用いることを特徴としている。
【００１９】
これにより、固定部（２２）によって放熱シート（３２）を絶縁基板（２１）に位置決めすることができるため、絶縁基板（２１）を放熱面（５１）と冷却部材（１２）とで挟み付ける際に、絶縁基板（２１）と放熱シート（３２）とがずれることを防止することができる。
【００２０】
なお、上記各手段の括弧内の符号は、後述する実施形態に記載の具体的手段との対応関係を示すものである。
【００２１】
【発明の実施の形態】
（第１実施形態）
以下、本実施形態における半導体装置の実装構造について示す。図１は本実施形態の半導体装置の実装構造の概略断面図であり、図２は図１における絶縁基板および放熱材の拡大図である。
【００２２】
図１に示すように、本実施形態における半導体装置１０は上述の図６に示した半導体装置１０と同様の構成であるため、図中、半導体装置１０の構成については、図６と同一符号を付して説明を省略し、補足説明を行うに止める。
【００２３】
ヒートシンク５の放熱面５１と反対側の面に接合された半導体素子１としては、例えばＩＧＢＴ（Insulated Gate Bipolar Transistor）を用いることができる。また、ワイヤ３は、例えばＡｕ（金）やＡｌ（アルミニウム）等を用いることができる。また、接合部材４としては、半田、ろう材、あるいは導電性接着剤等を用いることができる。また、ヒートシンク５としては、例えばＣｕ（銅）からなるものを用いることができる。また、樹脂６としては、エポキシ系のモールド樹脂を用いることができる。
【００２４】
次に、この半導体装置１０を冷却部材としての放熱ブロック１２に実装する構造について述べる。図１に示すように、本実施形態の半導体装置１０は、放熱性を向上させるためにヒートシンク５の一部が樹脂６から露出して放熱面５１を形成している。そのため、放熱面５１と放熱ブロック１２とは電気的に絶縁する必要がある。
【００２５】
従って、本実施形態では、放熱面５１と放熱ブロック１２とが、熱伝導性を有する絶縁基板２１を挟んで積層され、放熱面５１と絶縁基板２１との間、および絶縁基板２１と放熱ブロック１２との間には、熱的な接触を確保するための放熱材３１が介在されている。つまり、放熱ブロック１２と放熱面５１との間に、放熱材３１、絶縁基板２１および放熱材３１が、この順に積層され、図中の上下側より加圧され互いに圧接されている。
【００２６】
また、図１よび図２に示すように、この放熱材３１は絶縁基板２１の外周縁部までは配置されておらず、絶縁基板２１よりも一回り内側に配置されている。これは、放熱材３１は後述のように電気伝導性の材質であるため、放熱面５１と放熱ブロック１２とを絶縁するために絶縁距離を確保するものである。
【００２７】
詳しくは、放熱材３１が絶縁基板２１の端部まで及ぶと、ほぼ絶縁基板２１一枚分の厚みのみを隔てて電気伝導性の材質が存在することになり、放電等により絶縁が破壊される恐れがある。従って、絶縁基板２１の両面に配置される各々の放熱材３１間の距離を確保して、絶縁破壊を防ぐようにしている。
【００２８】
ここで、絶縁基板２１としては、絶縁性を有するもののうち、熱伝導率の高いものを用いることができる。そのような基板としては、例えば窒化アルミニウム基板や窒化珪素基板などがある。また、放熱材３１としては、例えば、熱伝導性フィラー充填シリコン系のゲルタイプ（以下、単にシリコンゲルという）からなるものを用いることができる。この熱伝導性フィラーとしては、Ａｇ（銀）、Ｃｕ、Ｃ（炭素）、Ｎｉ（ニッケル）、Ａｌ、Ｓｎ（錫）等を用いることができる。
【００２９】
そして、このシリコンゲルからなる放熱材３１は、ある程度の柔軟性があり、絶縁基板２１よりも放熱面５１や放熱ブロック１２との密着性が良好のものである。また、放熱材３１としては、絶縁基板２１よりも熱伝導率が高いものを用いると好適である。
【００３０】
上述のように、本実施形態では半導体装置１０を放熱ブロック１２に実装する際に、一対の放熱材３１で挟まれた絶縁基板２１を介して、放熱面５１と放熱ブロック１２とを圧接する構成となっている。その結果、放熱材３１の柔軟性により放熱面５１および放熱ブロック１２と放熱材３１とが良好に接続するため、これらの部材の界面における接触熱抵抗は低く、放熱性を良好に確保することができる。
【００３１】
また、絶縁基板２１は、絶縁性を確保するためには熱伝導率のあまり良くない材料を用いるため、放熱性に限界がある。しかし、本実施形態のように、放熱材３１として接触熱抵抗が小さく、かつ熱伝導率の高い材料を用いると、放熱面５１から絶縁基板２１への伝熱性、および絶縁基板２１から放熱ブロック１２への伝熱性が向上し、その結果、半導体装置１０の放熱性が向上する。
【００３２】
また、放熱面５１と放熱ブロック１２との電気的な絶縁は絶縁基板２１により確保しており、放熱材３１を絶縁基板２１よりも一回り内側に配置しているため、放電による絶縁破壊も防ぐことができる。以上のように、半導体装置１０の放熱性を向上させ、更に放熱面５１と放熱ブロック１２との絶縁を確実に確保しているため信頼性の高い半導体装置の実装構造を提供することができる。
【００３３】
次に、半導体装置１０を上述のような実装構造にする方法について述べる。実装方法としては、例えば、図１に示す各部材の下層から順に積層するように、まず、放熱ブロック１２に対してシリコンゲルを塗布し、その後、絶縁基板２１を搭載した後、絶縁基板２１上に再びシリコンゲルを塗布し、続いて半導体装置１０を放熱面５１がシリコンゲル側となるように搭載し、最後に全体を加圧して加熱硬化することが考えられる。
【００３４】
しかし、この様な方法では、多数の工程を経る必要がありコストが高くなってしまう。また、加圧するときにシリコンゲルが潰されて拡がることにより、絶縁基板２１の端部付近までシリコンゲルが配置され、上述のように絶縁距離が十分に確保できないという問題もある。
【００３５】
そこで、本実施形態では、以下の方法により実装する。まず、絶縁距離が確保できるような寸法で、絶縁基板２１の両面に、絶縁基板２１よりも一回り内側に位置するようにシリコンゲルを塗布する。具体的には、絶縁基板２１の平面よりも小さい開口部を有する印刷マスク等を用いて、印刷によりシリコンゲルを塗布することができる。
【００３６】
次に、このシリコンゲルを加熱硬化して、絶縁基板２１とシリコンゲルとを接合する。以下、シリコンゲルの硬化物３１を両面に形成した絶縁基板２１を、放熱絶縁基板４０という。この場合、加圧して加熱硬化すると、絶縁基板２１とシリコンゲルとの接合をより強固にすることができる。
【００３７】
そして、上述の放熱絶縁基板４０を、半導体装置１０の放熱面５１と放熱ブロック１２との間に挟み付けるようにして、これらの部材１２、４０、５１を積層する。この様にして、上述の実装構造が完成する。
【００３８】
この様な実装方法では、放熱絶縁基板４０を放熱面５１と放熱ブロック１２との間に積層して組み付けるだけで、上述のような半導体装置１０の実装構造を得ることができる。従って、放熱性が良好に確保できるように半導体装置を容易に組み付けることができる半導体装置の実装方法を提供することができる。
【００３９】
また、実装工程が簡略化されるため、コストを低減することができる。また、シリコンゲルを硬化した後に半導体装置１０を組み付けているため、半導体装置１０を組み付けるときに、シリコンゲルがつぶれる等して塗布領域が変更することがなく、放熱材３１等の寸法精度良実装することができ、絶縁距離を好適に確保することができる。
【００４０】
（第２実施形態）
第１実施形態では、放熱材３１としてシリコンゲルからなるものを用いたが、本実施形態では、放熱材として放熱シート３２、より具体的にはカーボン系シートを用いるものについて示す。
【００４１】
このカーボン系シート３２は表面が滑らかであるため、放熱面５１と絶縁基板２１との間、および絶縁基板２１と放熱ブロック１２との間に圧接したときに、カーボン系シート３２が移動するため組み付け難い。
【００４２】
また、カーボン系シート３２は導電性であるため、カーボン系シート３２が組み付け時に動いて、絶縁基板２１の端部付近に配置されたり、絶縁基板２１から外にはみ出したりすることにより、放熱面５１と放熱ブロック１２との絶縁が確保できなくなり製品の信頼性が低下する。
【００４３】
更に、放熱面５１と放熱ブロック１２との間に圧接したときに、絶縁基板２１の両面におけるカーボン系シート３２の位置がずれることにより、絶縁基板２１にかかる応力歪みのバランスが崩れて絶縁基板２１にクラックが生じ、絶縁性が十分に確保できなくなる可能性もある。本実施形態はこの様な問題点を考慮した、放熱シート３２を用いるときの構成および方法について示す。
【００４４】
本実施形態では、半導体装置１０の構成や、放熱面５１と放熱ブロック１２との間に絶縁基板２１および放熱材を配置する構成は第１実施形態と同様である。以下、主として、本実施形態の特徴部分である絶縁基板２１と放熱材３２について述べる。
【００４５】
図３は本実施形態の絶縁基板２１および放熱材３２の断面図である。図３に示すように、絶縁基板２１の両面に、放熱材としての放熱シート３２が接合層３３を介して接合され、第１実施形態と同様に放熱絶縁基板４０を形成している。
【００４６】
ここで、放熱シート３２は、収縮・復元性があるものであり、例えばカーボン系シートを用いることができる。また、この接合層３３については後述する。そして、図１と同様にして、放熱面５１と放熱ブロック１２との間に放熱絶縁基板４０が挟まれて積層され、圧接されている。
【００４７】
この様な実装構造にすることにより、放熱シート３２は収縮・復元性があるため、放熱面５１および放熱ブロック１２と絶縁基板２１とが放熱シート３２を介して良好に接続され、第１実施形態と同様にして、放熱性を良好に確保できる半導体装置の実装構造を提供することができる。
【００４８】
次に、本実施形態の実装方法について述べる。まず、図３に示す放熱絶縁基板４０を形成する。一対の放熱シート３２と絶縁基板２１とを用意し、放熱シート３２の一面および絶縁基板２１の両面に表面処理を施す。この表面処理は、絶縁基板２１と放熱シート３２との接合性を良するために行うものであり、例えば、Ｎｉ（ニッケル）メッキや蒸着などのメタライズドが好適である。
【００４９】
次に、表面処理を施した面を、Ａｇペースト等の高熱伝導接合材（請求項でいう熱伝導性接合部材）を介して接合する。これにより、表面処理を行った部分と高熱伝導接合材とが、上記接合層３３となり、絶縁基板２１と放熱シート３２とが一体化されて放熱絶縁基板４０が形成される。
【００５０】
続いて、第１実施形態と同様にして、放熱絶縁基板４０を半導体装置１０の放熱面５１と放熱ブロック１２との間に挟み付けるようにして、これらの部材１２、４０、５１を積層することにより、第２実施形態の実装構造が完成する。
【００５１】
この様な実装方法により、好適に絶縁基板２１と放熱シート３２とを接合して一体化することができる。その結果、第１実施形態と同様の理由から、放熱性が良好に確保できるように半導体装置を容易に組み付けることができる半導体装置の実装方法を提供することができる。
【００５２】
また、実装工程が簡略となるため、コストを低減することができる。また、放熱シート３２と絶縁基板２１とを一体化した後、半導体装置１０を組み付けているため、半導体装置１０を組み付けるときに、放熱シート３２が移動せず、上述のような絶縁破壊を防止することができる。また、放熱シート３２と絶縁基板２１とを高熱伝導接合材を介して接合しているため、半導体装置１０を実装する際の接触界面を減らすことができ、接触熱抵抗を低減することができる。
【００５３】
なお、カーボン系シート３２以外にも、圧縮・復元性があり、熱伝導性の良いシートを用いることができる。
【００５４】
（第３実施形態）
本実施形態は、第２実施形態と同様に放熱材として放熱シート３２を用いているが、放熱シート３２の固定方法が第２実施形態と異なる。以下、第２実施形態と異なる内容について主として述べる。図４は、本実施形態の絶縁基板２１および放熱シート３２の断面図である。
【００５５】
図４に示すように、絶縁基板２１の両面の端部に、放熱シート３２を固定するための絶縁物からなる固定部（絶縁層）２２が形成されている。この固定部２２は、絶縁基板２１の周縁部を囲むように形成されており、例えば絶縁基板２１と同一材質のもので形成することができる。また、この固定部２２は、放熱シート３２の厚みよりも薄くなっている。
【００５６】
この固定部２２は、印刷マスク等を用いて、固定部２２となるペーストを印刷し、焼結して形成することができる。このとき、絶縁基板２１となるためのグリーンシート状のものに、固定部２２となるペーストを印刷した後焼結しても良いし、絶縁基板２１にペーストを印刷して焼結しても良い。
【００５７】
そして、半導体装置１０の放熱面５１と放熱ブロック１２との間に絶縁基板２１を配置し、絶縁基板２１の両面において、固定部２２によって放熱シート３２を固定して、半導体装置１０、放熱シート３２、絶縁基板２１および放熱ブロック１２を積層して圧接している。
【００５８】
つまり、第１および第２実施形態の様に、絶縁基板２１と放熱材３１、３２とを予め一体化するのではなく、放熱ブロック１２上に上記各積層部材１０、２１、３２を順次積層すれば良く、放熱面５１と放熱ブロック１２との間に圧接する際に、絶縁基板２１の固定部２２により放熱シート３２を固定することができる。
【００５９】
本実施形態では、放熱シート３２を用いているため、第２実施形態と同様に、放熱面５１および放熱ブロック１２と絶縁基板２１との接着性を良好にすることができ、放熱性を向上させることができる。
【００６０】
また、固定部２２により放熱シート３２を絶縁基板２１に対して位置決めすることができるため組み付けが容易であり、絶縁基板２１を放熱面５１と放熱ブロック１２とで挟み付ける際に、放熱シート３２の位置がずれることを防止することができる。また、放熱シート３２よりも固定部２２の方が厚みが薄いため、放熱シート３２と放熱面５１および放熱ブロック１２とが確実に密着することができる。
【００６１】
なお、固定部２２としては、収縮性が高く、高い復元特性を有するシリコン系の絶縁材料を用いることもできる。この場合、放熱シート３２の厚みよりも固定部２２の厚みを厚くしても良い。なぜなら、放熱面５１と放熱ブロック１２との間に絶縁基板２１および放熱シート３２を挟んで圧接する際に、シリコン系の絶縁材料が圧縮されるため、放熱シート３２と放熱面５１および放熱ブロック１２とが接触し、放熱シート３２は放熱シート３２自身の接触界面抵抗を確保することができるためである。
【００６２】
また、固定部２２を絶縁基板２１の周縁部において囲むように形成する例について示したが、組み付け時に放熱シート３２を固定することができれば、放熱シート３２の各辺の一部や角に相当する位置に形成しても良い。ただし、組み付け時の圧接により絶縁基板２１に均等に圧縮応力がかかるようにする必要がある。
【００６３】
（他の実施形態）
上記実施形態では、半導体素子１の他面１ｂ側にのみヒートシンク５を接合して、半導体素子１の片面から放熱する構成の半導体装置１０の実装構造およびその方法について述べた。
【００６４】
しかし、半導体素子に対して一対のヒートシンクを挟むように接合し、この各々のヒートシンクのうち、半導体素子と接合している面とは反対側の面が放熱面となっており、半導体素子の両面から放熱を行うような構成の半導体装置を放熱ブロックに対して実装する場合にも、上記第１〜第３実施形態を適用することができる。
【００６５】
この場合は、半導体装置の両面に形成された一対の放熱面の各々と放熱ブロックとの間に、第１〜第３実施形態のように、絶縁基板および放熱材を積層して、これらの部材を圧接することができる。
【００６６】
また、放熱材としては、上記第１〜第３実施形態に記載のもの以外にも、弾性があり、熱伝導率の高いものであれば用いることができる。
【００６７】
また、上記各実施形態では、放熱面５１と放熱ブロック１２との間に絶縁基板２１および放熱材３１、３２を介在させ圧接するときに、各々の部材１２、２１、３１、３２、５１の界面に接着剤を用いなかった。これは、熱伝導性の悪い接着剤を用いることにより、半導体装置１０の放熱性が低下するのを防ぐためである。しかし、熱伝導率の高い接着剤を用いて、放熱性の低下を抑えることができれば、各々の部材の界面を接着剤で接合しても良い。
【図面の簡単な説明】
【図１】第１実施形態の半導体装置の実装構造の概略断面図である。
【図２】図１における絶縁基板および放熱材の拡大図である。
【図３】第２実施形態の絶縁基板および放熱材の断面図である。
【図４】第３実施形態の絶縁基板および放熱材の断面図である。
【図５】従来の半導体装置の実装構造の一例を示す概略断面図である。
【図６】従来の半導体装置の実装構造の他の例を示す概略断面図である。
【符号の説明】
１…半導体素子、５…ヒートシンク、１２…冷却部材、２１…絶縁基板、
２２…固定部、３１、３２…放熱材、５１…放熱面。
【図１】
0003879361.tif 000002
【図２】
0003879361.tif 000003
【図３】
0003879361.tif 000004
【図４】
0003879361.tif 000005
【図５】
0003879361.tif 000006
【図６】
0003879361.tif 000007